(57)【要約】【課題】      新規な構造を有する光電子殺菌機能付き掃除機を提供する。【解決手段】  光電子殺菌機能付き掃除機は、本体１が流線型の構造であって、該本体がファン３、電動モーター４、基板２１、電子回路素子２２、切換開閉スイッチ５、指示ランプ８、手持ちハンドル４８、外付け長可動ハンドル１３、極紫外線放射管３２、フィルター網２６、充電池９、電源引き込み線１６、透明な放射ミラー３３、塵箱体２０と外付け可動吸塵機４９を含んでいる。【選択図】    図２
0003104086.tif 000002
【実用新案登録請求の範囲】
【請求項１】
本体が流線型の構造であって、該本体がファン、電動モーター、基板、電子回路素子、切換開閉スイッチ、指示ランプ、手持ちハンドル、外付け長可動ハンドル、極紫外線放射管、フィルター網、充電池、電源引き込み線、透明な放射ミラー、塵箱体と外付け可動吸塵機を含んでいる光電子殺菌機能付き掃除機。
【請求項２】
特に室内空気の清潔化に適合する電子回路システムであって、前記電子回路システムが、極紫外線放射管から波長が２５３．７nmの極紫外線を発射させるための始動回路であることを特徴とする室内環境の改善に用いられる電子回路システム。
【請求項３】
前記極紫外線放射管から波長が２５３．７nmの極紫外線を発射させるための始動回路用の可変電気抵抗器が電流の出力を調整できることを特徴とする請求項２に記載の電子回路システム。
【請求項４】
極紫外線放射管を始動し極紫外線を発射させ、該極紫外線放射管を通過する空気に含有されている細菌やウィルス、黴等を消滅させることを特徴とする請求項２に記載の電子回路システム。
【請求項５】
前記ハンドルが、使用者が便利に使えるように本体の上端に連結されるか、或は本体の尾端に外付け長ハンドルが連結され、使用者にもう一つの手持ち方式を提供することを特徴とする請求項１に記載の光電子殺菌機能付き掃除機。
【請求項６】
前記本体が独立に手に持って使えるか、或は外付けの長ハンドルと外付けの可動吸塵ヘッドに連結されて一緒に使われ、該外付けの可動吸塵ヘッドが、その角度を自由に調整することができ、いずれの角度においても床表面に密着し得ることを特徴とする請求項１に記載の光電子殺菌機能付き掃除機。
【請求項７】
前記本体と可動吸塵ヘッドのいずれにも、独立に内蔵された極紫外線放射管が具備されていることを特徴とする請求項１に記載の光電子殺菌機能付き掃除機。
【請求項８】
前記極紫外線放射管が独立に設置された透明放射ミラーに保護され、該放射ミラーを通過して極紫外線が放射されることを特徴とする請求項１に記載の光電子殺菌機能付き掃除機。
【請求項９】
前記フィルター網が清掃可能、かつ更新可能であることを特徴とする請求項１に記載の光電子殺菌機能付き掃除機。
【請求項１０】
充電池、或は外部接続した公共電源線から電源が提供されることを特徴とする請求項１に記載の光電子殺菌機能付き掃除機。
【請求項１１】
外部接続した電源ソケットによって本体内の充電電源に充電することを特徴とする請求項１に記載の光電子殺菌機能付き掃除機。
【請求項１２】
前記塵箱体と可動掃除機のいずれにも、金属材料からなる電源接触部材が具備され、本体から電源を通じさせられて極紫外線放射管を始動させることを特徴とする請求項１に記載の光電子殺菌機能付き掃除機。
【請求項１３】
前記塵箱体と可動吸塵機に内蔵されている極紫外線放射管が更新できるものであることを特徴とする請求項１に記載の光電子殺菌機能付き掃除機。
【考案の詳細な説明】
【技術分野】
【０００１】
本考案は光電子殺菌機能付き掃除機に関し、より詳しくは、自動車用電池電源、充電池内蔵型の電源、或は公共給電電源を有する光電子殺菌機能付き掃除機に関する。
【背景技術】
【０００２】
従来より、吸塵により床又はカーペットを清潔にする掃除機が知られている。
【考案の開示】
【考案が解決しようとする課題】
【０００３】
本考案は、新規な構造を有する光電子殺菌機能付き掃除機を提供することを目的としている。
【課題を解決するための手段】
【０００４】
本考案の光電子殺菌機能付き掃除機は、吸塵により床又はカーペットを清潔にする場合に、極紫外線放射管を内蔵した可動吸塵ヘッドを用いて、該極紫外線放射管から極紫外線を放射することによって、床表面とカーペット内外表面に付着している細菌、ウィルス或は黴等を消滅させることができる。この掃除機内に吸い込まれた塵等の汚染物は、光電子殺菌機能付き掃除機の先端のインナーチャンバーに留まるが、該インナーチャンバー内に独立して設置されたもう一つの極紫外線放射管から極紫外線を放射して、該インナーチャンバー内の汚染物に対して殺菌を行って、新たに細菌・ウィルス・黴等が生じるのを防止する。
【０００５】
本考案の光電子殺菌機能付き掃除機には、主な部材として、極紫外線放射管、ファン、電動モーター、フィルター網が含まれている。床表面、カーペット内外表面の塵が掃除機の可動吸塵ヘッドを通じて吸い込まれる時、可動吸塵ヘッドの極紫外線放射管から極紫外線を放射して、床表面とカーペット内外表面に付着されている細菌、ウィルス或は黴等を消滅させることができ、吸い込まれた塵等の汚染物はフィルター網により阻止されるので、掃除機本体の先端の塵箱インナーチャンバーに留まる。この場合、該塵箱のインナーチャンバーに独立して設置された極紫外線放射管から極紫外線を放射して、塵等の汚染物に付着した再拡散の可能性があるウィルス、細菌と黴を消滅させる。ファンは電動モーターによって回転駆動され、強大な吸込み気流を発生させるので、可動吸塵ヘッドの入口から塵等の汚染物を吸込むと同時に、空気も吸込む。吸込まれた空気は可動吸塵ヘッドと塵箱のインナーチャンバーを通り、さらにフィルター網を経て掃除機の本体に入り、本体の両側の排気口から排出される。即ち、空気が可動吸塵ヘッドと塵箱のインナーチャンバーを通過する間に、極紫外線により、空気中に含まれている細菌、ウィルスや黴等を消滅させることができるので、排気口から排出されるのは清潔で新鮮な空気である。これにより、室内環境における空気の質を向上させることができる。
【０００６】
本考案の掃除機の外形は流線型形状であるが、以下に添付図面を参照しつつ、本考案の他の特徴について詳しく説明する。
【考案を実施するための最良の形態】
【０００７】
本考案の光電子殺菌機能付き掃除機は、流線型の外形を有する本体１を備えており、該本体１の先端には空気入口２が形成されている。空気入口２の背面にはそれに密着してファン３が設けられ、該ファン３は電動モーター４に連結されている。前記電動モーター４は、本体１の所定箇所に固定されている。本体１の先端の上方には二つの機能開閉切換スイッチ５が設けられ、本体１前後の表面には排気口６が形成され、本体１の前表面には外部電源接続用ソケット７と充電指示ランプ８が設けられている。本体１の後端のチャンバーには、充電池９と交流公共給電電源線１６が装備され、本体１の尾端の上方にスプリングボウ（spring bow）１０とロックキャッチ（lock catch）１１が設けられており、且つ長い通路（長通路）１２が設けられているので、ハンドル１３の一端は容易に滑り込ませることができ、ロックキャッチ１１によって係着させることができる。該ハンドル１３の先端は金属管１４からなり、金属管１４の尾端はプラスチック製の取っ手で構成されている。本体１の底部には、使用者が、電源に連結される電線１６を容易に通過させることができるように、二つの“エ”字形のフットレスト（foot rest）１５が設けられている。
【０００８】
切換スイッチの固定ホルダー１８には、機能開閉切換スイッチ５と押しボタンスイッチ１９を固定するために、複数の長孔が形成されている。該押しボタンスイッチ１９によって塵箱体２０が係止され、塵箱体２０が可動的に本体１に連結されるようになる。前記機能開閉切換スイッチ５の底部には基板２１と回路素子２２が装着され、且つ機能開閉切換スイッチ５の上端の押しハンドル２３には、スイッチカバー２４が連結されている。本体１の上端には、使用者が便利に使うことができるように手持ちハンドル４８が設けられている。
【０００９】
本体１の先端の上方には、主に塵箱体２０内の極紫外線放射管３２に給電する役割を果たす二つの金属接触部材２５が装着されている。
塵箱体２０の中には、フィルター網２６とフィルター網のホルダー２７が装着され、塵箱体２０の先端には長方形の空気入口２８が形成され、該長方形空気入口２８の一端には可動ドア２９が設けられている。該長方形空気入口２８の両側には、可動吸塵ヘッドに給電するための金属材料からなる円形の接触ソケット３０が設けられている。塵箱体２０の上端には極紫外線放射管３２が内蔵された単元インナーチャンバー３１が形成され、該単元インナーチャンバー３１の他の一端に設けられた二つの導電プラグ４７により、本体１の電源を塵箱体２０に通じさせる。これにより、回路電源から極紫外線放射管３２へ給電することができる。極紫外線放射管３２の下方には、極紫外線を塵箱体２０の中まで到達させるように透明材料からなる透過ミラー３３が設けられている。単元インナーチャンバー３１の上端には可動カバー３４が装着されており、使用者は、これを便利に開け、極紫外線放射管３２を取り出して清掃或は更新作業を行うことができる。可動ドア２９の背面とフィルター網ホルダー２７の中央の空間には塵等の汚染物が貯蔵されるのは明らかなことである。
【００１０】
可動吸塵機４９は長方形の構造を有しているが、可動吸塵機４９の上端に位置する可動ジャック３５の一端が空気入口３６となり、別の一端が空気出口３７となって、塵箱体２０の長方形空気入口２８に密着して配置することができる。可動ジャック３５の空気出口３７の両側には金属材料からなる接触針３８があり、該接触針３８は、塵箱体２０の先端の接触ソケット３８に挿入されて給電を可能とする。可動ジャック３５の空気入口３６は、可動吸塵機４９の上カバー３９の空気出口４０に可動的に連結され、可動吸塵機４９が清掃作業を行う場合に自動的に適当な角度に調整され得るので、使用者は便利に使うことができる。可動吸塵機４９の下端の摺動板４１には、三つのブロック（block）４２が装着されているので、可動吸塵機４９は床表面或はカーペットの上を自由に摺動し得る。可動吸塵機４９の先端にも極紫外線放射管３２が固定されているが、極紫外線放射管３２の前後の両端には全て金属からなる接触シート４３が設けられ、同時に極紫外線放射管３２の下端には、透明材料からなる透過ミラー４４が設けられているので、極紫外は床の上或はカーペットの内外面まで照らすことができる。可動吸塵機４９の下端の背部には、長辺のブロックグルー（block glue）４５が固定されており、可動吸塵機４９が床或はカーペットの上を摺動する時に、塵などの汚染物が推し出されて容易に空気入口４６内に吸い込まれるようになっている。
【００１１】
実際に使う場合には、光電子殺菌機能付き掃除機を始動させると、電動モーター４によってファン３が回転駆動されるが、該ファンの急速な回転により強大な気流が生成され、空気と塵などの汚染物が塵箱体２０の空気入口２８に吸い込まれる。その中で、空気はフィルター網２６を通過し、本体１の空気入口２を経て、本体１の排気口６から排出される。しかし、塵などの汚染物は、フィルター網２６を通過することができないので塵箱体２０の中に留まり、塵箱体の上方からの極紫外線によって強制的に消毒される。
【００１２】
使用者が本体１と塵箱体２０の先端に可動吸塵機４９を配置すると、空気と塵等は一緒に可動吸塵機４９の空気入口４６から吸い込まれる。
使用者が切換スイッチ５を始動させると、本体１内の電源が回路素子２２を介して本体１の接触部材２５に通じ、更に塵箱体２０の極紫外線放射管３２が極紫外線を発射することができるように該電源を塵箱体２０の導電プラグ４７まで通じさせる。同時に、本体１の電源が接触部材２５から塵箱体２０の導電プラグ４７まで通じさせられ、塵箱体２０の接触ソケット３０を介してこの電源が可動吸塵機４９の接触針３８に通じさせられることによって、可動吸塵機４９の極紫外線放射管３２から極紫外線が発射されることになる。
【００１３】
即ち、本体１内のファン３の回転によって強い吸込み気流を生成して、ウィルスや細菌又は黴等を含有する空気と塵を可動吸塵機４９の空気入口から本体１の中に吸込むか、或は塵箱体２０の空気入口２８から直接に本体１の中に吸込むことができる。極紫外線放射管３２からの極紫外線は、空気と塵に含有されているウィルスや細菌又は黴等を消滅させるので、室内の空気の質を向上させることができ、使用者はフィルタ-ホルダー２７を取り出すことにより便利に塵等の汚染物を清掃することができる。
【００１４】
本考案の光電子殺菌機能付き掃除機では、極紫外線放射管から波長が２５３．７nmの極紫外線を生成するが、実験結果より、該波長の紫外線が、空気中に含有されるウィルスや細菌又は黴等を最も効果的に消滅させることができることが明らかになっている。本考案の掃除機は、現代の社会の家庭、病院、養老院、デパート、映画館、レストラン、オフィス、生産現場、エレベーター、大中小型の自動車、汽船、飛行機や汽車内のいずれにおいても便利に使うことができる。本考案の光電子殺菌機能付き掃除機の清掃・消毒機能は、人間の生活、居住、医療、オフィス、消費、交通・運輸具に関する周囲環境を改善でき、自然環境が絶え間なく破壊されている今の社会で、人々に清潔な空間を還すことができる。
【図面の簡単な説明】
【００１５】
【図１】本考案に関する製品の外形を表す側面図である。
【図２】図１に示す製品の縦断面図である。
【図３】図１に示す製品の塵箱体の構造について説明した横断面図である。
【図４】図１に示す製品の正面図である。
【図５】図１に示す製品の背面図である。
【図６】図１に示す製品のもう一つの側面図である。
【図７】図１に示す製品の底面図である。
【図８】図１に示す製品の平面図である。
【図９】図１に示す製品の構造を示す分解斜視図である。
【図１０】図１に示す製品の掃除機の空気入口、排気口、本体導電部材などの構造を示す斜視図である。
【図１１】可動吸塵機の構造を示す分解斜視図である。
【図１２】空気入口の構造を示した図１１に示す可動吸塵機の横断面図である。
【図１３】極紫外線放射管の構造を示した図１１に示す可動吸塵機の横断面図である。
【図１】
0003104086.tif 000003
【図２】
0003104086.tif 000004
【図３】
0003104086.tif 000005
【図４】
0003104086.tif 000006
【図５】
0003104086.tif 000007
【図６】
0003104086.tif 000008
【図７】
0003104086.tif 000009
【図８】
0003104086.tif 000010
【図９】
0003104086.tif 000011
【図１０】
0003104086.tif 000012
【図１１】
0003104086.tif 000013
【図１２】
0003104086.tif 000014
【図１３】
0003104086.tif 000015
【手続補正書】
【提出日】平成16年5月21日(2004.5.21)
【手続補正１】
【補正対象書類名】実用新案登録請求の範囲
【補正対象項目名】全文
【補正方法】変更
【補正の内容】
【実用新案登録請求の範囲】
【請求項１】
本体が流線型の構造であって、該本体がファン、電動モーター、基板、電子回路素子、切換開閉スイッチ、指示ランプ、手持ちハンドル、外付け長可動ハンドル、極紫外線放射管、フィルター網、充電池、電源引き込み線、透明な放射ミラー、塵箱体と外付け可動吸塵機を含んでいる光電子殺菌機能付き掃除機。
【請求項２】
前記回路素子は前記切換開閉スイッチと前記極紫外線放射管との間に接続されるものであり、前記切換開閉スイッチが操作されたときに当該回路素子を介して供給される電源により、前記極紫外線放射管は波長が２５３．７nmの極紫外線を発射することを特徴とする請求項１に記載の光電子殺菌機能付き掃除機。
【請求項３】
前記ハンドルが、使用者が便利に使えるように本体の上端に連結されるか、或は本体の尾端に外付け長ハンドルが連結され、使用者にもう一つの手持ち方式を提供することを特徴とする請求項１に記載の光電子殺菌機能付き掃除機。
【請求項４】
前記本体が独立に手に持って使えるか、或は外付けの長ハンドルと外付けの可動吸塵ヘッドに連結されて一緒に使われ、該外付けの可動吸塵ヘッドが、その角度を自由に調整することができ、いずれの角度においても床表面に密着し得ることを特徴とする請求項１に記載の光電子殺菌機能付き掃除機。
【請求項５】
前記本体と可動吸塵ヘッドのいずれにも、独立に内蔵された極紫外線放射管が具備されていることを特徴とする請求項１に記載の光電子殺菌機能付き掃除機。
【請求項６】
前記極紫外線放射管が独立に設置された透明放射ミラーに保護され、該放射ミラーを通過して極紫外線が放射されることを特徴とする請求項１に記載の光電子殺菌機能付き掃除機。
【請求項７】
前記フィルター網が清掃可能、かつ更新可能であることを特徴とする請求項１に記載の光電子殺菌機能付き掃除機。
【請求項８】
充電池、或は外部接続した公共電源線から電源が提供されることを特徴とする請求項１に記載の光電子殺菌機能付き掃除機。
【請求項９】
外部接続した電源ソケットによって本体内の充電電源に充電することを特徴とする請求項１に記載の光電子殺菌機能付き掃除機。
【請求項１０】
前記塵箱体と可動掃除機のいずれにも、金属材料からなる電源接触部材が具備され、本体から電源を通じさせられて極紫外線放射管を始動させることを特徴とする請求項１に記載の光電子殺菌機能付き掃除機。
【請求項１１】
前記塵箱体と可動吸塵機に内蔵されている極紫外線放射管が更新できるものであることを特徴とする請求項１に記載の光電子殺菌機能付き掃除機。